(57)【要約】【課題】ＬＥＤの発光部に干渉しないように一対のバスバーによってＬＥＤを保持し、かつ各ＬＥＤ電極と一対のバスバーとを安定的に接続させることができるＬＥＤ照明ユニットを提供すること。【解決手段】ＬＥＤ４１と、ＬＥＤ４１が収容されるハウジング２０と、各ＬＥＤ電極４１ｄに接触されることによって導電路を形成しつつＬＥＤ４１をハウジング２０内に固定する一対のバスバー５０とを有してなるＬＥＤ照明ユニット１において、ＬＥＤ４１は、発光部４１ａが上面４１ｂに設けられ、かつ各側面４１ｃに各ＬＥＤ電極４１ｄが設けられてなり、一対のバスバー５０は、各バスバー５０が各ＬＥＤ電極４１ｄに接触されるようにしてＬＥＤ４１の両側面４１ｃを挟持するＬＥＤ挟持部５１と、ＬＥＤ４１が一対のバスバー５０の間をツェナーダイオード４２が連結するように各ツェナーダイオード電極４２ｂが圧接される一対のツェナーダイオード圧接部５２とを有してなる。【選択図】図１
2013241090.tif 000002
【特許請求の範囲】
【請求項１】
光源となるＬＥＤと、該ＬＥＤが収容されるハウジングと、前記ＬＥＤの陽極、陰極の各ＬＥＤ電極に電気接続のために接触されることによって前記ＬＥＤの電源供給回路の導電路を形成しつつ、前記ＬＥＤを前記ハウジング内に固定する一対のバスバーと、を有してなるＬＥＤ照明ユニットにおいて、
前記ＬＥＤは、
光が発光される発光部が上面に設けられ、かつ互いに表裏の関係にある一対の側面の各側面に前記各ＬＥＤ電極が設けられてなり、
前記一対のバスバーは、
各バスバーが前記各ＬＥＤ電極に接触されるようにして前記ＬＥＤの両側面を挟持するＬＥＤ挟持部と、
前記ＬＥＤが挟み込まれる前記一対のバスバーの間をツェナーダイオードが連結するように該ツェナーダイオードの陽極、陰極の各ツェナーダイオード電極が圧接される一対のツェナーダイオード圧接部と、
を有してなることを特徴とするＬＥＤ照明ユニット。
【請求項２】
前記ＬＥＤ挟持部と前記一対のツェナーダイオード圧接部とは、
近傍に設けられてなることを特徴とする請求項１に記載のＬＥＤ照明ユニット。
【請求項３】
前記ハウジングは、
前記ハウジング内に収容された前記一対のバスバーに前記ＬＥＤが取り付け可能に形成された開口であるＬＥＤ挿入口と、
前記ハウジング内に収容された前記一対のバスバーに前記ツェナーダイオードが取り付け可能に形成された開口であるツェナーダイオード挿入口と、
を有してなることを特徴とする請求項１または２に記載のＬＥＤ照明ユニット。
【発明の詳細な説明】
【技術分野】
【０００１】
本発明は、ＬＥＤを光源とするＬＥＤ照明ユニットに関する。
【背景技術】
【０００２】
従来、自動車の室内照明等に用いられる照明ユニットとして、光源にＬＥＤ（Ｌｉｇｈｔ  Ｅｍｉｔｔｉｎｇ  Ｄｉｏｄｅ：発光ダイオード）を用いるものがある。このようなＬＥＤ照明ユニットには、ＬＥＤの電源供給回路の導電路として一対のバスバーを用いたものが提案されている（例えば、特許文献１参照）。
【０００３】
特許文献１に記載されたＬＥＤ照明ユニットは、光源となるＬＥＤと、該ＬＥＤが収容されるハウジングと、ＬＥＤの陽極、陰極の各電極（以下、ＬＥＤ電極という。）に電気接続のために接触されることによってＬＥＤの電源供給回路の導電路を形成しつつ、ＬＥＤをハウジング内に固定する一対のバスバーと、を有してなる。
【先行技術文献】
【特許文献】
【０００４】
【特許文献１】特開２０１１−１４８４６１号公報
【発明の概要】
【発明が解決しようとする課題】
【０００５】
しかしながら、特許文献１に記載されたＬＥＤ照明ユニットは、ＬＥＤの下面に設けられた各ＬＥＤ電極に対して各バスバーを上方に向けて押圧することによって、ＬＥＤの上面をハウジングの内面に当接させ、一対のバスバーとハウジングの内面とでＬＥＤを保持するようにしているので、ハウジングの内面が発光部に干渉するおそれがあった。
【０００６】
この場合、ＬＥＤ電極をＬＥＤの両側部に設け、一対のバスバーによって両側部を挟持することによって問題を解消することが考えられるが、バスバーが収容される絶縁樹脂性のハウジングが、雰囲気温度の上昇によって熱膨張し、寸法が大きくなることによって、ハウジング内の一対のバスバーの配置間隔が拡がり、一対のバスバーによってＬＥＤを挟み込む圧力が低下するので、ＬＥＤの各電極と一対のバスバーとの接続が不安定になる虞がある。
【０００７】
本発明は、上記に鑑みてなされたものであって、ＬＥＤの発光部に干渉しないように一対のバスバーによってＬＥＤを保持し、かつ各ＬＥＤ電極と一対のバスバーとを安定的に接続させることができるＬＥＤ照明ユニットを提供することを目的とする。
【課題を解決するための手段】
【０００８】
上述した課題を解決し、目的を達成するために、本発明の請求項１に係るＬＥＤ照明ユニットは、光源となるＬＥＤと、前記ＬＥＤの陽極、陰極の各ＬＥＤ電極に接触されつつ、該ＬＥＤを保持することによって前記ＬＥＤの電源供給回路の導電路を形成する一対のバスバーと、前記ＬＥＤが収容されるハウジングとを有してなるＬＥＤ照明ユニットにおいて、前記ＬＥＤは、光が発光される発光部が上面に設けられ、かつ互いに表裏の関係にある一対の側面の各側面に前記各ＬＥＤ電極が設けられてなり、前記一対のバスバーは、各バスバーが前記各ＬＥＤ電極に接触されるようにして前記ＬＥＤの両側面を挟持するＬＥＤ挟持部と、前記ＬＥＤが挟み込まれる前記一対のバスバーの間をツェナーダイオードが連結するように該ツェナーダイオードの陽極、陰極の各ツェナーダイオード電極が圧接される一対のツェナーダイオード圧接部と、を有してなることを特徴とする。
【０００９】
また、本発明の請求項２に係るＬＥＤ照明ユニットは、上記の発明において、前記ＬＥＤ挟持部と前記一対のツェナーダイオード圧接部とは、近傍に設けられてなることを特徴とする。
【００１０】
また、本発明の請求項３に係るＬＥＤ照明ユニットは、上記の発明において、前記ハウジングは、前記ハウジング内に収容された前記一対のバスバーに前記ＬＥＤが取り付け可能に形成された開口であるＬＥＤ挿入口と、前記ハウジング内に収容された前記一対のバスバーに前記ツェナーダイオードが取り付け可能に形成された開口であるツェナーダイオード挿入口と、を有してなることを特徴とする。
【発明の効果】
【００１１】
本発明の請求項１に係るＬＥＤ照明ユニットは、前記ＬＥＤ挟持部によって、前記ＬＥＤの各側面に設けられた各ＬＥＤ電極が接触されるようにして前記ＬＥＤの両側面が挟持されることによって前記ＬＥＤが保持されるので、前記一対のバスバーが、前記ＬＥＤの上面側の発光部に干渉しないように前記ＬＥＤを挟持し、しかも、前記一対のバスバーに前記ツェナーダイオードが圧接されて前記一対のバスバーと前記ツェナーダイオードとが固定されることによって、前記ＬＥＤを間に配置する前記一対のバスバーの配置間隔が熱変形され難いツェナーダイオードによって固定されるので、前記ハウジングが熱膨張した場合においても、前記一対のバスバーの配置間隔が拡がることを阻止し、前記一対のバスバーの前記ＬＥＤに対する接圧を保つことができ、結果的に、ＬＥＤの発光部に干渉しないように一対のバスバーによってＬＥＤを保持し、かつ各ＬＥＤ電極と一対のバスバーとを安定的に接続させることができる。
【００１２】
本発明の請求項２に係るＬＥＤ照明ユニットは、前記ＬＥＤ挟持部の近傍で前記一対のバスバーの配置間隔が固定されるようになっているので、各ＬＥＤ電極と一対のバスバーとをより安定的に接続させることができる。
【００１３】
本発明の請求項３に係るＬＥＤ照明ユニットは、前記一対のバスバーを前記ハウジング内で前記ツェナーダイオードによって固定させた後、前記ＬＥＤを前記一対のバスバーによって挟持することができるので、前記ハウジングの熱変形が起こらない温度のもとで前記一対のバスバーの配置間隔を、熱変形され難い前記ツェナーダイオードを間にして固定させ、前記一対のバスバーの配置間隔を設計値により近づけて固定することができ、結果的に各ＬＥＤ電極と一対のバスバーとをより安定的に接続させることができる。
【図面の簡単な説明】
【００１４】
【図１】図１は、本発明の実施例に係るＬＥＤ照明ユニットの分解斜視図である。
【図２】図２は、図１に示したＬＥＤ照明ユニットの斜視図である。
【図３】図３は、図２に示したＬＥＤ照明ユニットを下方から視た斜視図である。
【図４】図４は、図１に示した、照明機能部が組み付け完了されたハウジングを上側から視た図である。
【図５】図５は、図１に示したＬＥＤの拡大斜視図である。
【図６】図６は、図１に示したツェナーダイオードの拡大斜視図である。
【図７】図７は、図１に示したバスバーの拡大斜視図である。
【図８】図８は、図１に示したバスバーを上側から視た平面図である。
【図９】図９は、図１に示したバスバーを前側から視た平面図である。
【図１０】図１０は、図１に示したバスバーを左側から視た平面図である。
【図１１】図１１は、図１に示した照明機能部の拡大斜視図である。
【図１２】図１２は、図１に示した照明機能部を前側から視た平面図である。
【図１３】図１３は、図１に示した照明機能部を左側から視た平面図である。
【図１４】図１４は、図１に示した照明機能部によって構成されるＬＥＤの電源供給回路の構成を示した回路図である。
【図１５】図１５は、ＬＥＤ照明ユニットの組み付け手順を示した図である。
【図１６】図１６は、ＬＥＤ照明ユニットの組み付け手順を示した図である。
【図１７】図１７は、ＬＥＤ照明ユニットの組み付け手順を示した図である。
【発明を実施するための形態】
【００１５】
以下、図面を参照して、本発明に係るＬＥＤ照明ユニットの好適な実施例を詳細に説明する。
【実施例】
【００１６】
図１は、本発明の実施例に係るＬＥＤ照明ユニット１の分解斜視図である。図２は、図１に示したＬＥＤ照明ユニット１の斜視図である。図３は、図２に示したＬＥＤ照明ユニット１を下方から視た斜視図である。図４は、図１に示した、照明機能部４０が組み付け完了されたハウジング２０を上側から視た図である。
なお、図４は、ＬＥＤ４１が取り付けの途中状態にあり、図中の矢印方向に移動している。
図５は、図１に示したＬＥＤ４１の拡大斜視図である。図６は、図１に示したツェナーダイオード４２の拡大斜視図である。図７は、図１に示したバスバー５０の拡大斜視図である。図８は、図１に示したバスバー５０を上側から視た平面図である。図９は、図１に示したバスバー５０を前側から視た平面図である。図１０は、図１に示したバスバー５０を左側から視た平面図である。図１１は、図１に示した照明機能部４０の拡大斜視図である。図１２は、図１に示した照明機能部４０を前側から視た平面図である。図１３は、図１に示した照明機能部４０を左側から視た平面図である。図１４は、図１に示した照明機能部４０によって構成されるＬＥＤ４１の電源供給回路の構成を示した回路図である。
なお、便宜上、図中の矢印に示すように前後、左右及び上下方向を定義する。
本発明の実施例に係るＬＥＤ照明ユニット１は、ＬＥＤから発せられる光によって、例えば、車両の室内を照明するものである。
このＬＥＤ照明ユニット１は、図１に示すように、ハウジングカバー１０と、ハウジング２０と、照明機能部４０と、電線保持部６０とを有してなる。
【００１７】
まず、ハウジングカバー１０について説明する。
ハウジングカバー１０は、絶縁性の材料からなり、後端が開口された箱形形状のカバーであり、内部にハウジング２０が収容されるものである。このハウジングカバー１０は、上面に形成された開口１１にＬＥＤ４１から発せられた光を集光するレンズ１２が取り付けられている。
【００１８】
次に、ハウジング２０について説明する。
ハウジング２０は、絶縁性の材料からなり、上面に一対のバスバー５０を挿入可能に開口部２０ａが形成されたブロック状の筐体である。このハウジング２０は、図１および図４に示すように、矩形状の底壁２１と、底壁２１の４辺のそれぞれから立設された、前壁２２と、前壁２２と向かい合う後壁２３と、向かい合う一対の左右壁２４とを有してなる。ハウジング２０は、これらの壁２１，２２，２３，２４によって形成された収容空間が、隔壁２５によって仕切られることによって各バスバー５０が収容されるバスバー収容部２６が形成されている。
【００１９】
隔壁２５は、後壁２３から前壁２２の手前まで延び、前壁２２と隔壁２５との間に各バスバー収容部２６を繋げる連接収容部２７が設けられている。この連接収容部２７は上下隔壁２８によって、上下に収容空間が仕切られることによって、ＬＥＤ４１が収容されるＬＥＤ収容部２９と、ツェナーダイオード４２が収容されるツェナーダイオード収容部３０とが設けられるようになっている。
【００２０】
前壁２２は、ＬＥＤ収容部２９内にＬＥＤ４１が挿入可能な開口であるＬＥＤ挿入口２２ａと、ツェナーダイオード収容部３０内にツェナーダイオード４２が挿入可能な開口であるツェナーダイオード挿入口２２ｂとが形成されている。
底壁２１は、各バスバー収容部２６内に二つの抵抗板４３の各抵抗板４３が挿入可能な開口である二つの抵抗挿入口２１ａが形成されている。
【００２１】
次に、照明機能部４０について説明する。
照明機能部４０は、ＬＥＤ４１と、ツェナーダイオード４２と、二つの抵抗板４３と、一対のバスバー５０と、を有してなり、ＬＥＤ４１に対して外部から電力を供給することによってＬＥＤ４１を発光させる照明機能をなす部分である。
ＬＥＤ４１は、公知のＬＥＤであり、図５に示すように、全体として直方体形状をなし、光が発光される発光部４１ａが上面４１ｂに設けられ、かつ互いに表裏の関係にある一対の側面４１ｃの各側面４１ｃに陽極、陰極の各ＬＥＤ電極４１ｄが設けられてなる。
【００２２】
ツェナーダイオード４２は、公知のツェナーダイオードであり、図６に示すように、半導体素子４２ａ、おおび陽極、陰極のツェナーダイオード電極４２ｂが軸に沿って配置されてなる、いわゆるアキシャル型のツェナーダイオードである。
【００２３】
一対のバスバー５０は、板状の導電部材がプレス加工によって成形されたものであり、不図示の外部電源に接続されることによって、ＬＥＤの電源供給回路の導電路を形成するものである。
この一対のバスバー５０は、各バスバー５０が各ＬＥＤ電極４１ｄに接触されるようにしてＬＥＤ４１の両側面４１ｃを挟持するＬＥＤ挟持部５１と、ＬＥＤ４１が挟み込まれる一対のバスバー５０の間をツェナーダイオード４２が連結するようにツェナーダイオード４２の陽極、陰極の各ツェナーダイオード電極４２ｂが圧接される一対のツェナーダイオード圧接部５２と、を有してなる。
【００２４】
ここで、一対のバスバー５０のうち、一つのバスバー５０についてより詳細に説明する。
バスバー５０は、ＬＥＤ４１の一方のＬＥＤ電極４１ｄに接触されるＬＥＤ接触部５１ａと、ツェナーダイオード４２の一方のツェナーダイオード電極４２ｂが圧接されるツェナーダイオード圧接部５２と、抵抗板４３が保持される抵抗板保持部５３と、不図示の外部電源に接続される電源接続部５４と、を有してなる。
【００２５】
このバスバー５０は、板状の導電部材が天井折り返し部５０ａにて折り返されて向かい合う一対の板状導電部５０ｂが前側に形成され、この一対の板状導電部５０ｂにＬＥＤ接触部５１ａと、ツェナーダイオード圧接部５２と、抵抗板保持５３とが形成されている。
【００２６】
ＬＥＤ接触部５１ａとツェナーダイオード圧接部５２とは、一対の板状導電部５０ｂの前端部からほぼ中央部にかけて上下に並ぶように形成されている。
【００２７】
ＬＥＤ接触部５１ａは、一対の板状導電部５０ｂの前端からほぼ中央までスリット状に切り込まれたスリット部５０ｃによって形成された端縁面を一方の縁面とし、板状導電部の上端縁面を他方の縁面とする一対の弾性片部５１ｂを有してなる。
この一対の弾性片部５１ｂの前端部は、互いに外側に向けて膨らむように屈曲された一対の膨み部５１ｃが形成され、各弾性片部５１ｂの先端部分が隙間を空けて向かい合うようになっている。
【００２８】
また、一対の膨み部５１ｃのうち、ＬＥＤ４１に向けて膨らむ膨らみ部５１ｃ（以下、ＬＥＤ側膨らみ部という。）がＬＥＤ４１の一方のＬＥＤ電極４１ｄに当接され、ハウジング２０のハウジング内面２０ｂに向けて膨らむ膨らみ部５１ｃ（以下、ハウジング内面側膨らみ部という。）がハウジング２０のハウジング内面２０ｂに当接されるようになっている。
これにより、ハウジング内面側膨らみ部５１ｃがハウジング２０の寸法変化に対応してハウジング内面２０ｂに弾性的に当接されるようになっており、ＬＥＤ４１が各バスバー５０のＬＥＤ側膨らみ部５１ｃの間に配置された場合、ＬＥＤ４１が一対のＬＥＤ側膨らみ部５１ｂによって弾性的に挟み込まれるようになっている。
すなわち、一対のバスバー５０の一対のＬＥＤ接触部５１ａがＬＥＤ挟持部５１として機能されるようになっている。
【００２９】
このようなＬＥＤ挟持部５１によって、各側面４１ｃに設けられた各ＬＥＤ電極４１ｄが接触されるようにしてＬＥＤ４１が挟み込まれ一対のバスバー５０によって保持されるので、一対のバスバー５０が、ＬＥＤ４１の上面４１ｂ側の発光部４１ａに干渉しないようにＬＥＤ４１を挟持するようになっている。
また、ハウジング内面側膨らみ部５１ｃがハウジング２０の寸法変化に対応してハウジング内面２０ｂに弾性的に当接されるので、ハウジング２０が熱膨張、あるいは成形時における寸法公差により寸法が変化した場合であっても、各バスバー５０はハウジング２０内に安定的に固定されるようになっている。
また、各バスバー５０は、一対の弾性片部５１ｂが先端部分に隙間が空くように配置されることによって、先端部分が自由端となり、各弾性片部５１ｂの弾性を効果的に利用できるので、一対のバスバー５０とＬＥＤ４１とが良好な接続状態を保つようになっている。
【００３０】
ツェナーダイオード圧接部５２は、スリット部５０ｃによって形成された端縁面を一方の縁面とし、板状導電部５０ｂの下端縁面を他方の縁面とする一対の片状基部５２ａを有してなる。この一対の片状基部５２ａの前端部には各片状基部５２ａの前端からツェナーダイオード４２のツェナーダイオード電極４２ｂが圧接可能に切り欠かれた一対の圧接溝部５２ｂが形成されている。
ツェナーダイオード４２は、両ツェナーダイオード電極４２ｂが各バスバー５０の一対の圧接溝部５２ｂに圧接されるようになっている。
【００３１】
このように一対のバスバー５０とツェナーダイオード４２とが固定されることによって、ＬＥＤ４１を間に配置する一対のバスバー５０の配置間隔が固定されるようになっている。しかも、ツェナーダイオード４２は、高温度下においても熱変形され難いため、絶縁樹脂性のハウジング２０が雰囲気温度の上昇によって膨張され、寸法が大きくなることによって、一対のバスバー５０がその配置間隔を拡げる方向に移動することを阻止するようになっている。
なお、この実施例では、ＬＥＤ挟持部５１と一対のツェナーダイオード圧接部５２とは、近傍に並ぶように設けられてなるので、一対のバスバー５０の間隔がより安定的に固定されるようになっている。
【００３２】
抵抗板保持部５３は、一対の板状導電部５０ｂの後端側に形成されている。この抵抗板保持部５３は、一対の板状導電部５０ｂの後端縁上部から下方に向けてアーム状に突出された一対の弾性アーム部５３ａを有してなる。抵抗板４３は、これら一対の弾性アーム部５３ａによって保持されることによってバスバー５０に接続されるようになっている。
【００３３】
電源接続部５４は、一対の板状導電部５０ｂの後端から延出された天井延出部５０ｄに連接され、天井延出部５０ｄから垂直下方に屈曲された屈曲連接部５４ａと、屈曲連接部５４ａから水平方向に刃面が向けられた圧接刃部５４ｂとを有してなる。この圧接刃５４ｂに不図示の電源に接続された電線Ｗが圧接されるようになっている。
【００３４】
次に、電線保持部６０について説明する。
電線保持部６０は、図１１に示すように、折り返して屈曲させた各電線Ｗの屈曲部分を保持した状態でハウジング２０内に収容され、ハウジング２０内で電線Ｗの屈曲部分を圧接刃５４ｂに圧接させるものでる。
【００３５】
このようなＬＥＤ照明ユニット１は、図１１−図１３に示すように、ＬＥＤ４１と、ツェナーダイオード４２と、二つの抵抗板４３と、不図示の外部電力に接続される電線Ｗとが一対のバスバー５０によって電気的に接続されることによって、図４に示すように、ＬＥＤ４１の電源供給回路が構成される。
【００３６】
次に、図１５−図１７を用いて、ＬＥＤ照明ユニット１の組み付け手順について説明する。図１５−図１７は、ＬＥＤ照明ユニットの組み付け手順を示した図である。
まず、作業者は、一対のバスバー５０を各バスバー収容部２６に収容する（図１５（ａ）参照）。一対のバスバー５０は各バスバー収容部２６内に収容されることによって、互いに所定の間隔を空けて配置される。なお、電源接続部５４の圧接刃５４ｂはハウジング２０外に露出されるようになっている。
【００３７】
その後、作業者は、ツェナーダイオード４２をツェナーダイオード挿入口２２ｂからハウジング２０内に挿入することによって、ツェナーダイオード４２の陽極、陰極の各ツェナーダイオード電極４２ｂを一対のバスバー５０の各圧接溝部５２ｂに圧接する（図１５（ｂ）参照）。これにより、ツェナーダイオード４２の各ツェナーダイオード電極４２ｂが一対のバスバー５０に接続されるとともに、一対のバスバー５０の配置間隔が固定される。
なお、このように各ツェナーダイオード電極４２ｂを一対のバスバー５０に圧接する場合、ハウジング２０の熱変形が起こらない雰囲気温度のもとで圧接作業を行うことが好ましい。そうすれば、ハウジング２０は、設計寸法し従った大きさとなり、一対のバスバー５０は設計値通りの配置間隔で各バスバー収容部２６内に収容される。
【００３８】
その後、作業者は、ＬＥＤ４１をＬＥＤ挿入口２２ａからハウジング２０内に挿入することによって、ＬＥＤ４１を一対のバスバー５０の間に挟み込む（図１５（ｃ）参照）。これにより、各ＬＥＤ電極４１ｄが一対のバスバー５０に接触されつつ、ＬＥＤ４１が一対のバスバー５０によって保持される。ここで、各ＬＥＤ電極４１ｄがＬＥＤ４１の各側面４１ｃに設けられ、一対のバスバー５０が、ＬＥＤ４１の両側面４１ｃを挟持するようになっているので、ＬＥＤ４１の上面４１ｂ側の発光部４１ａに干渉するものがない。
【００３９】
その後、作業者は、二つの抵抗板４３を各バスバー５０の弾性アーム部５３ａによって保持させる（図１５（ｄ）参照）。これにより、抵抗板４３が各バスバー５０に接続される。
【００４０】
その後、作業者は、照明機能部４０が取り付けられたハウジング２０をハウジングカバー１０内に挿入する（図１５（ｅ）参照）。これにより、ハウジング２０の各開口２０ａ，２１ａ，２２ａ，２２ｂがハウジングガバー１０によって覆われる。
【００４１】
その後、作業者は、電線保持部６０をハウジングカバー１０に取り付ける（図１５（ｆ）参照）。これにより、不図示の電源に接続された各電線Ｗが各バスバー５０の圧接刃部５４ｂに圧接され、ＬＥＤ照明ユニット１の組み付けが完了される（図１５（ｇ）参照）。
【００４２】
本発明の実施例に係るＬＥＤ照明ユニット１は、ＬＥＤ挟持部５１によって、ＬＥＤ４１の各側面４１ｃに設けられた各ＬＥＤ電極４１ｄが接触されるようにしてＬＥＤ４１の両側面４１ｃが挟持されることによってＬＥＤ４１が保持されるので、一対のバスバー５０が、ＬＥＤ４１の上面４１ｂ側の発光部４１ａに干渉しないようにＬＥＤ４１を挟持し、しかも、一対のバスバー５０にツェナーダイオード４２が圧接されて一対のバスバー５０とツェナーダイオード４２とが固定されることによって、ＬＥＤ４１を間に配置する一対のバスバー５０の配置間隔が熱変形され難いツェナーダイオードによって固定されるので、ハウジング２０が熱膨張した場合においても、一対のバスバー５０の配置間隔が拡がることを阻止し、一対のバスバー５０のＬＥＤ４１に対する接圧を保つことができ、結果的に、ＬＥＤの発光部に干渉しないように一対のバスバーによってＬＥＤを保持し、かつ各ＬＥＤ電極と一対のバスバーとを安定的に接続させることができる。
【００４３】
また、本発明の実施例に係るＬＥＤ照明ユニット１は、ＬＥＤ挟持部５１の近傍で一対のバスバー５０の配置間隔が固定されるようになっているので、各ＬＥＤ電極４１ｄと一対のバスバー５０とをより安定的に接続させることができる。
【００４４】
また、本発明の実施例に係るＬＥＤ照明ユニット１は、一対のバスバー５０をハウジング２０内でツェナーダイオード４２によって固定させた後、ＬＥＤ４１を一対のバスバー５０によって挟持することができるので、ハウジング２０の熱変形が起こらない温度のもとで一対のバスバー５０の配置間隔を、熱変形され難いツェナーダイオード４２を間にして固定させ、一対のバスバー５０の配置間隔を設計値により近づけて固定することができ、結果的に各ＬＥＤ電極４１ｄと一対のバスバー５０とをより安定的に接続させることができる。
【００４５】
なお、本発明の実施例に係るＬＥＤ照明ユニット１は、ＬＥＤ４１が直方体形状であるものを例示したが、ＬＥＤ４１の形状はこれに限らない、すなわち発光部４１ａが上面４１ｂに設けられ、かつ互いに表裏の関係にある一対の側面４１ｃの各側面４１ｃに各ＬＥＤ電極４１ｄが設けられていればその他の形状のＬＥＤを用いても構わない。
【００４６】
また、本発明の実施例のＬＥＤ照明ユニット１は、ハウジング２０が収容されるハウジングカバー１０を有してなるものを例示したが、これに限らず、ハウジング１０自体の密閉性を高めることによってハウジングカバー１０を用いない構成としても構わない。
【００４７】
また、本発明の実施例のＬＥＤ照明ユニット１は、電源接続部５４が、圧接刃５４ｂを有してなるものを例示したが、これに限らず、電源に接続されるようになっていればその他の構成であってもよい。例えば、電源接続部が雄端子となり、相手雌端子に接続されるようにしても構わない。
【００４８】
また、本発明の実施例のＬＥＤ照明ユニット１は、二つの抵抗板４３を有してなるものを例示したが、これに限らず、一つの抵抗板４３を有してなるものであっても構わない。
【００４９】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５０】
１      ＬＥＤ照明ユニット
１０    ハウジングカバー
１１    開口
１２    レンズ
２０    ハウジング
２０ａ  開口部
２０ｂ  ハウジング内面
２１    底壁
２１ａ  抵抗挿入口
２２    前壁
２２ａ  ＬＥＤ挿入口
２２ｂ  ツェナーダイオード挿入口
２３    後壁
２４    左右壁
２５    隔壁
２６    バスバー収容部
２７    連接収容部
２８    上下隔壁
２９    ＬＥＤ収容部
３０    ツェナーダイオード収容部
４０    照明機能部
４１    ＬＥＤ
４１ａ  発光部
４１ｂ  上面
４１ｃ  側面
４１ｄ  ＬＥＤ電極
４２    ツェナーダイオード
４２ａ  半導体素子
４２ｂ  ツェナーダイオード電極
４３    抵抗板
５０    バスバー
５０ａ  天井折り返し部
５０ｂ  板状導電部
５０ｃ  スリット部
５０ｄ  天井延出部
５１    ＬＥＤ挟持部
５１ａ  ＬＥＤ接触部
５１ｂ  弾性片部
５１ｃ  膨み部
５２    ツェナーダイオード圧接部
５２ａ  片状基部
５２ｂ  圧接溝部
５３    抵抗板保持部
５３ａ  弾性アーム部
５４    電源接続部
５４ａ  屈曲連接部
５４ｂ  圧接刃部
６０    電線保持部
Ｗ      電線
【図１】
2013241090.tif 000003
【図２】
2013241090.tif 000004
【図３】
2013241090.tif 000005
【図４】
2013241090.tif 000006
【図５】
2013241090.tif 000007
【図６】
2013241090.tif 000008
【図７】
2013241090.tif 000009
【図８】
2013241090.tif 000010
【図９】
2013241090.tif 000011
【図１０】
2013241090.tif 000012
【図１１】
2013241090.tif 000013
【図１２】
2013241090.tif 000014
【図１３】
2013241090.tif 000015
【図１４】
2013241090.tif 000016
【図１５】
2013241090.tif 000017
【図１６】
2013241090.tif 000018
【図１７】
2013241090.tif 000019